【手続補正書】
【提出日】平成18年6月5日(2006.6.5)
【手続補正１】
【補正対象書類名】明細書
【補正対象項目名】全文
【補正方法】変更
【補正の内容】
【発明の詳細な説明】
【発明の名称】透明シート袋状ポスタ−で広告掲載の編集機能を高めた透明シート袋状ポスタ−の広告法。透明部活用で立体感構成も容易になる構造を有した広告掲示装置及びその製造方法。
【特許請求の範囲】
【請求項１】
健全な人が視力を使い外景を判断する際に２眼で遠近距離を推測出来る視覚がある。この視覚には有視界視覚と無視界視覚とがある。分かりやすく言うと透明と不透明が存在する。（透明＝無＝０と不透明＝有＝１）である。この（透明＝０、不透明＝１）の接点または境界視点を一対とする思考によりその存在価値が生まれる。コンピューター言語と同一組合せ（０と１）一対を視覚にも存在した価値をこの視覚基礎原理とした視覚表現方法。例えば、透明シートに不透明で印刷された写真やタイトルロゴ［図１１］（Ｈ）を少し手前に置きバックの背景との距離を手前と奥行きで見極める視力が備わっている。透明部を透して判断する立体感視力（遠近感視力）で立体感を再現出来るこの視覚基礎原理による視覚表現方法。
【請求項２】
透明シートに透明のままの部分と不透明な印刷（例、人物や樹木等の物体の各被写体をリアルに切抜き印刷した）部分との境界線を鮮明に分割した構造物の組合せを用いた透明袋は透明筒状ポスタ−にした構造の発明である。広告掲載を素早く［図９］［図１１］各文言やバックの写真・イラスト（Ｃ）〜（Ｄ）や（Ｇ）〜（Ｈ）の様に差替える事が出来、時局を逃さず捕らえる広告の即時速効性、更に立体感イメージまで作れる［図３］［図５］［図１１］透明袋状活用によるハーフメイド編集機能ポスターができる広告掲示物を生産する方法。
【発明の属する技術】
【０００１】  本発明は、広告効果を損なわず、既製品ポスターでありながら、目立たせるタイトルロゴや補充文言を加え又は差換えて完成させるポスターでハーフメイドの既製品である。オリジナルポスターより、独自性が強く、即応自在に変化を成し遂げるカメレオンのような変幻性を持ったハ−フメイド編集機能を持った透明体広告表現法（以後ハ−フメイド透明袋既製ポスターと言う）である。透けるイメージの新鮮さと差替え変化を生かして、押し花やリボン他によるいインテリア用品にもなり、子供への立体感の仕組み感覚教育材料にも使える表現技術法である。速やかに広告変更が可能なシステムでリアルな広告表現が効果的な構造と製造方法。
【背景技術】
【０００２】  従来の透明ポスターは、一企業の一目的で完了していた。従来一企業が単一目的で透明ポスターを作ればその期間が終われば不要に成り、ただ従来の紙ポスターの透明化に過ぎず、先が透けて見えるだけの活用に過ぎなかった。ポケット付も有るが広告のポスター付の物入れポケットの様なもので、販売企画から広告戦略企画・日々入替えの商品写真表示・変動可能な価格表示・変動可能な販売期間．購買動機と視覚研究心理分析の追加広告・キャッチフレ−ズの即時変更表示可能・商品変更でロゴタイプの差替え．販売店の各支店の店名表示・トータルデザインや広告コピー変更は可能か？その他を総合編集企画を必要とする複雑と思われる分野をクリヤしなければ解決しない難題を含んだ総合編集会議を終了して印刷発注行程を経ていた事物だけに、解決は不可能とされ思考物の開発は不可能と見られていた。ましてや即時部分変更が出来るポスターなど不可能と決め考えようともしなかった、広告業界は従来の不透明ポスターの作法概念から一歩も出た発想が無いかった。
【発明が解決しようとする課題】
【０００３】  従来の無かった。差替えタイトルやバックの背景までの総替え変更できるポスターが出来れば既製品ポスターが現在のオリジナルポスターを大幅に超える効果が期待出来る。都会に限らず光を取り入れたガラスを多く使った店舗や住宅が益々増えて従来のポスターが似合わなく成ってきた事が解決する課題である。
【課題を解決するための手段】
【０００４】  本発明の基盤は人間が持つ有視界視覚と無視界視覚の一対型視覚思考が基盤である。（透明＝０と不透明＝１）の発見が発明の存在意義を高めている。１も０も従来から有ったが（０と１）を明確に意識し一対と見た。一対とは境界線の位置示す事、図らずもコンピューター言語と同じ（有＝１と無＝０）視点に立脚している。本発明もその有と無、即ち透明と不透明の視点一対型応用の一ジャンルとして透明袋活用ポスターが発案された。今のコンピューターソフトが発展し応用が広がっている様に視覚の世界でこのソフト基盤は広がりを見せる。超高層ビルや地下街に自然光が遮られがちな街が増え、暗く成ってきた性であろう。ガラス・ウインドーが大きく成ったのは自然でろう。明るさを取り入れる。透明性を活かしたポスターやインテリア用品として、新時代の店鋪に合うのは、当然で素材は透明性が良い。次は組合せによりデザインの重要部分に広告効果が出せれば後は、各店のオーナーが独自の目的に応じて必要文言や写真を挿入するだけで完成する。ハ−フメイド透明袋既製ポスターは個々の独自店のオリジナルポスターが簡単に完成する。ハ−フメイド透明袋既製ポスターを半既製品として発売すれば誰にで簡単に独自のオリジナルポスターが作れる。そのハ−フメイド透明袋既製ポスターの製造が解決策である。
【発明を実施するための最良の形態】
【０００５】  発明の実施の形態を実施例に基づき図面で説明する。［図７］［図８］［図９］は、ハ−フメイド透明袋既製ポスターを使って店のオーナーが目的に応じて必要文言を入れた完成行程予想図である。【０００６】  ［図２］は、そのハ−フメイド透明袋既製ポスター［図３］［図５］部に、各店独自の広告必要文言入り挿入シート部１９、［図６］２４を差込むとポスターは完成する。すなわち、［図３］が［図４］、［図７］が［図８］、［図９］が［図１０］の様に使用前使用後風に完成する図である。【０００７】  ［図７］封筒状のハ−フメイド透明袋既製ポスターである。挿入物シート２４に広告必要文言を添付して、［図８］挿入物シートをハ−フメイド透明袋既製ポスターに挿入した後２５封止部を閉じて完成である。【０００８】  ［図９］多重透明袋１４のハ−フメイド透明袋既製ポスター構成で沢山の挿入袋部を持ち１３を差替え可能にし色紙バックシート４、写真バックシート４ａでポスター究極の総替え可能ハ−フメイド透明袋既製ポスターなである。
【図面の簡単な説明】
【図１】ハ−フメイド透明袋既製ポスター完成予想図の正面図
【図２】ハーフメイド透明ポスター部と挿入広告文言部の２分類図
【図３】ポケット付ハ−フメイド透明袋既製ポスターと挿入方行程図
【図４】ポケット付ハ−フメイド透明袋既製ポスターの挿入完成図
【図５】封筒状ハ−フメイド透明袋既製ポスターの透明袋部の斜視図
【図６】挿入広告文言入りシ−ト部の斜視図
【図７】封筒状ハ−フメイド透明袋既製ポスターに挿入中の行程図
【図８】封筒状ハ−フメイド透明袋既製ポスターに挿入完了図
【図９】多重透明袋ポスターに各パーツ挿入２例の斜視図
【図１０】バックシートの差替え［図９］挿入２例の完了図
【図１１】立体感ポスター用をハ−フメイド透明袋既製ポスターの袋部と立体感ポスター完成例の斜視図
【符号の説明】
１、ハーフメイド透明袋ポスター部
２、タイトルロゴ部
３、補充文言部
４、バックシートデザイン部
４．ａバックシートフォトデザイン部
５、店名ロゴ部
６、手書文言部
７、手書き文言写真やイラスト部
８、透明ポケット部
９、袋挿入口部
１０、袋封止部
１１、シ−ト挿入方向
１２、袋封止折曲方向
１３、各種文言挿入シ−ト部
１４、多重透明袋ポスター部
１５、立体感袋前面部
１６、立体感袋後面部
１７、立体感多重透明袋ポスタ−
１８、多重袋綴じ部
（Ａ）広告文言集合部
（Ｂ）ハーフメイド透明ポスター部の斜視図
（Ｃ）全種挿入シート部（挿入過程図）
（Ｄ）挿入バックシート部（挿入過程図）
（Ｅ）（Ｃ）挿入完了の斜視図
（Ｆ）（Ｄ）挿入完了の斜視図
（Ｇ）多重立体感透明ポスター袋構成シート例斜視図
（Ｈ）立体感多重透明袋ポスターに挿入立体感ポスターの完成斜視図
【手続補正２】
【補正対象書類名】図面
【補正対象項目名】全図
【補正方法】変更
【補正の内容】
【図１】
2005031608.tif 000001
【図２】
2005031608.tif 000002
【図３】
2005031608.tif 000003
【図４】
2005031608.tif 000004
【図５】
2005031608.tif 000005
【図６】
2005031608.tif 000006
【図７】
2005031608.tif 000007
【図８】
2005031608.tif 000008
【図９】
2005031608.tif 000009
【図１０】
2005031608.tif 000010
【図１１】
2005031608.tif 000011